(57)【特許請求の範囲】
【請求項１】
下部梁と上部梁との間に斜めに配置されるブレース部材を備えたブレース構造であって、
第１梁と柱との交点から上方向に斜めに配置される第１のブレース部材と、
前記第１梁の上方に間隔をおいて配置された第２梁と前記柱との交点から下方向に斜めに配置される第２のブレース部材と、
前記第１梁と前記第２梁との間に配置される中間梁に、回動可能に取り付けたガセットとを備え、
前記中間梁を、ウェブが水平となるように配置したＨ鋼材で構成し、
前記ガセットは、前記ウェブに形成された孔を介して、前記Ｈ鋼材を貫通し、前記第１梁と前記第２梁との間に配置された回転中心の周りに回動可能に支持されるとともに、
前記ガセットを、前記回転中心に対して下方で前記第１のブレース部材と固定し、かつ前記回転中心に対して上方で前記第２のブレース部材と固定したことを特徴とするブレース構造。
【発明の詳細な説明】
【技術分野】
【０００１】
本発明は、上部梁と下部梁との間に斜めに配置されるブレース部材を備えたブレース構造に関する。
【背景技術】
【０００２】
エレベータのシャフトを構築する場合等、地震や風によって上下階の中間に大きな荷重がかかることがある。そこで、建物の中に構築される部屋や縦シャフトを構築する場合には、上下階の梁の中間に、地震力や風荷重受けの梁の架設が検討されている（例えば、特許文献１参照。）。この文献に記載の建物架構においては、互いに対向する２つの柱スパンに複数の増設柱を設け、増設柱と本設柱との間にブレースを設け、増設柱間にフロアレベルの梁を取り付けている。
【０００３】
一方、地震等によって建物に層間変形が生じた場合におけるブレースの損傷を抑えた構成が検討されている（例えば、特許文献２参照。）。この文献に記載の構造物においては、架構の４つのガセットプレートに一端がそれぞれピン連結された４つのブレース部材を設けている。各ブレース部材他端には、ノード材が設けられている。架構が一方向にせん断変形するとノード材が回転する。ノード材の回転途中では、４つのブレース部材には、圧縮力、引張力が生じない。更に変形が進むと、ブレース部材及びブレース部材がそれぞれ同一直線上に配置され、ブレース部材に圧縮力が生じ、ブレース部材に引張力が生じて、水平荷重に抵抗する。これにより、建物において、所定の変位を超えた変形を拘束している。
【先行技術文献】
【特許文献】
【０００４】
【特許文献１】特開平１０−１８４０７２号公報
【特許文献２】特開２０１０−７０９９１号公報
【発明の概要】
【発明が解決しようとする課題】
【０００５】
上述した特許文献２に記載のブレースを備えた構造物においては、上下階の梁の間に設置された柱の中間に、地震や風による荷重を受ける場合は考慮されていなかった。また、上下階の階高が高い場合、上下階の梁の間に設置された柱の中間に荷重受けの梁を架設する。この場合には、中間にかかる荷重による変形や応力を抑えるために、柱の断面積を大きくする必要があった。
【０００６】
本発明は、上述の課題に鑑みてなされ、建物の層間変形においてはブレースの降伏を抑制しながら、中間荷重による柱の変形を拘束することができるブレース構造を提供することにある。
【課題を解決するための手段】
【０００７】
上記課題を解決するブレース構造は、下部梁と上部梁との間に斜めに配置されるブレース部材を備えたブレース構造であって、第１梁と柱との交点から上方向に斜めに配置される第１のブレース部材と、前記第１梁の上方に間隔をおいて配置された第２梁と前記柱との交点から下方向に斜めに配置される第２のブレース部材と、前記第１梁と前記第２梁との間に配置された回転中心の周りに回動可能に支持されるとともに、前記回転中心に対して下方で前記第１のブレース部材に固定され、前記回転中心に対して上方で前記第２のブレース部材に固定されたガセットとを備えたことを要旨とする。これにより、建物において層間変形が発生した場合には、ガセットが回転中心周りに回転して、第１及び第２のブレース部材に加わる力を逃がすので、第１及び第２のブレース部材に作用する応力を低減して、ブレースの降伏を抑制することができる。一方で、柱の中間に荷重が作用した場合には、柱の変形を拘束することができる。
【０００８】
上記ブレース構造において、前記ガセットを、前記第１梁と前記第２梁との間に配置される中間梁に、回動可能に取り付けることが好ましい。これにより、簡単な構成で、回動可能に支持されるガセットを取り付けることができる。
【０００９】
上記ブレース構造において、前記ガセットを、第１及び第２のブレース部材が取り付けられている柱に並立された柱に、回動可能に取り付けることが好ましい。これにより、下部梁と上部梁との間において中間梁以外の位置にガセットを取り付けることができる。
【発明の効果】
【００１０】
本発明によれば、建物の層間変形においてはブレースの降伏を抑制しながら、中間荷重による柱の変形を拘束することができる。
【図面の簡単な説明】
【００１１】
【図１】第１の実施形態におけるブレース構造を説明する説明図であって、（ａ）は全体概念図、（ｂ）は要部の拡大正面図、（ｃ）は要部の拡大斜視図、（ｄ）は、ブレース構造のガセットの回転中心点の取り付け位置を説明する概念図。
【図２】第１の実施形態におけるブレース構造に力が作用した場合の動きを説明する説明図であって、（ａ）は力が作用しない状態を示し、（ｂ）は層間変形発生時の状態を示し、（ｃ）は（ｂ）の要部の拡大正面図、（ｄ）は中間荷重が作用したときの状態を示す。
【図３】第２の実施形態におけるブレース構造の要部を説明する説明図であって、（ａ）は要部の拡大正面図、（ｂ）は要部の拡大斜視図。
【図４】第３の実施形態におけるブレース構造を説明する説明図であって、（ａ）は力が作用しない状態における概念図、（ｂ）は（ａ）の要部の拡大正面図、（ｃ）は層間変形発生時の状態における概念図、（ｄ）は（ｃ）の要部の拡大正面図。
【図５】変更例におけるブレース構造の説明図であって、（ａ）は柱間の空間に各ブレース構造を配置した場合、（ｂ）はブレース部材が交差するように２つのブレース構造を配置した状態、（ｃ）はブレース構造を上下に複数配置した状態、（ｄ）及び（ｅ）はガセットを回動可能に柱に取り付けた状態を示す。
【発明を実施するための形態】
【００１２】
（第１の実施形態）
以下、図１及び図２を用いて、ブレース構造を具体化した第１の実施形態を説明する。
図１（ａ）は、本実施形態のブレース構造２０の模式図である。図１（ｂ）及び図１（ｃ）は、ブレース構造２０の要部の拡大正面図及び拡大斜視図である。
【００１３】
図１（ａ）に示すように、本実施形態のブレース構造２０は、隣接する柱１１，１２の間に架設される。柱１１，１２には、下部梁１５と上部梁１６とが間隔をおいて架設されている。各梁（１５，１６）は、それぞれ、建物の隣接する階を構成する梁である。本実施形態では、下部梁１５と上部梁１６の間に、中間梁１７が配置されている。この中間梁１７は、梁（１５，１６）と平行になる配置で、柱１１，１２に架設されて固定されている。
【００１４】
本実施形態では、柱１１，１２の間に、２つのブレース構造２０が設けられている。これらブレース構造２０は、柱１１，１２のスパン中央１３に対して線対称に配置されている。
【００１５】
各ブレース構造２０は、第１のブレース部材２１及び第２のブレース部材２２を備えている。
第１のブレース部材２１は、各柱１１，１２と下部梁１５との交点から、上方に向かうように斜めに配置される。第１のブレース部材２１の下端部は、図示しない金具等によって、各柱１１，１２と下部梁１５との交点に固定されている。本実施形態では、第１のブレース部材２１は、スパン中央１３と中間梁１７との交点に向かって傾斜している。
【００１６】
第２のブレース部材２２は、各柱１１，１２と上部梁１６との交点から下方に向かうように斜めに配置される。第２のブレース部材２２の上端部は、図示しない金具等によって、各柱１１，１２と上部梁１６との交点に固定されている。本実施形態では、第２のブレース部材２２は、第１のブレース部材２１と同様に、スパン中央１３と中間梁１７との交点に向かって傾斜している。
【００１７】
更に、各ブレース構造２０は、ガセット２５を備えている。図１（ａ）においては、ガセット２５を、模式的に直角二等辺三角形状で表示している。
図１（ｂ）は、右側のガセット２５の説明図である。なお、左側のブレース構造２０は、右側のブレース構造２０の左右を反転した構造であるため、説明は省略する。このように、本実施形態では、ガセット２５は、直角二等辺三角形状の２つの底角（上端及び下端の頂点）を欠いた五角形状の鋼片によって構成される。ガセット２５は、頂角の二等分線（対称軸）に対して線対称の形状をしている。なお、２つの底角を欠かずに、直角二等辺三角形状の鋼片を用いることも可能である。
【００１８】
ガセット２５は、回転中心点Ｃｇとして、上下両方向に回転（回動）可能に中間梁１７に支持されている。回転中心点Ｃｇは、ガセット２５の対称軸上で、直角の頂角の近傍に位置されている。ガセット２５の下端部（一方の底角近傍）は、第１のブレース部材２１の上端部と接合されている。また、ガセット２５の上端部（他方の底角近傍）は、第２のブレース部材２２の下端部と接合されている。
【００１９】
次に、図１（ｂ）及び図１（ｃ）を用いて、ガセット２５の構成について詳述する。
図１（ｃ）に示すように、ガセット２５を取り付ける中間梁１７は、Ｈ鋼で構成されている。中間梁１７のウェブ１７ｗには、ガセット２５を配置する位置に、上下に貫通する貫通孔１７ｈが形成されている。この貫通孔１７ｈは、中間梁１７の延在方向を長手方向とした長方形状となっている。
【００２０】
図１（ｂ）に示すように、ガセット２５は、中間梁１７の貫通孔１７ｈに挿通され、柱１１，１２を含む垂直面内に配置される。なお、ガセット２５の設置時には、対称軸が中間梁１７の延在方向と平行に配置される。
【００２１】
ガセット２５の下端部には、第１のブレース部材２１の上端部が、ボルトとナットの組み合わせ等により固定されている。ガセット２５の上端部には、第２のブレース部材２２の下端部が、ボルトとナットの組み合わせ等により固定されている。本実施形態では、第１のブレース部材２１と第２のブレース部材２２は、ガセット２５の対称軸に対して線対称に配置される。
【００２２】
図１（ｂ）及び図１（ｃ）に示すように、ガセット２５には、回転軸２６が貫通して固定されている。この回転軸２６が回転することにより、回転中心点Ｃｇを中心としてガセット２５が回動する。回転軸２６は、両端部において各固定部材２７を用いて、回動可能に中間梁１７に支持されている。
【００２３】
次に、図１（ｄ）を用いて、ガセット２５の回転中心点Ｃｇの位置について説明する。図１（ｄ）は、図１（ａ）と同様に、ガセット２５の模式図である。
本実施形態では、第１及び第２のブレース部材２１，２２は、中間梁１７とスパン中央１３との交点に向かって傾斜するように配置される。ここで、まず、下部梁１５と上部梁１６との間に生じる層間変形の許容量に応じて、ガセット２５の回転許容量が算出される。そして、ガセット２５は、この回転許容量に基づいて大きさが決定される。図１（ｄ）では、この回転許容量に基づいて、中間梁１７から、ガセット２５が各ブレース部材（２１，２２）を支持する位置までの距離（オフセットＯｆ）を示している。
【００２４】
ここで、ブレース部材（２１，２２）の傾斜が異なる場合を想定する。図１（ｄ）の点線のブレース部材（２１，２２）は、実線のブレース部材（２１，２２）よりも垂直に近い角度で配置される場合を示している。ブレース部材（２１，２２）の傾斜が異なる場合にも、同じオフセットＯｆにおいてブレース部材（２１，２２）と接するように、ガセット２５を水平に移動させることにより、回転中心点Ｃｇの位置を決定することができる。
【００２５】
次に、図２を用いて、上述したブレース構造２０の作用について説明する。
図２（ａ）は、柱１１，１２や梁（１５，１６）に横方向に力が加わっていない状態のブレース構造２０を示している。本実施形態では、ブレース構造２０のガセット２５は、対称軸が中間梁１７とほぼ平行となっている。
【００２６】
図２（ｂ）は、地震時により層間変形が発生した状態のブレース構造２０を示している。ここでは、下部梁１５に対して上部梁１６を水平方向（図の右方向）に移動した層間変形が生じた状態を示している。図２（ｃ）は、この状態における右側のガセット２５を拡大した図である。
【００２７】
図２（ｂ）に示すように、右側のブレース構造２０の第１のブレース部材２１と、左側のブレース構造２０の第２のブレース部材２２とには、圧縮する方向に力が加わる。また、右側のブレース構造２０の第２のブレース部材２２と、左側の第１のブレース部材２１とには、引っ張る方向に力が加わる。ここで、ガセット２５を介して連結されている第１のブレース部材２１と第２のブレース部材２２とは、反対方向（圧縮する方向と引っ張る方向）の力を受けることになる。
【００２８】
従って、図２（ｃ）に示すように、ガセット２５は、回転軸２６の回転中心点Ｃｇを中心として、時計回りに回転する。ここで、二点鎖線は、回転前のガセット２５及びブレース部材（２１，２２）の位置を示し、実線は、回転後のガセット２５及びブレース部材（２１，２２）の位置を示している。
【００２９】
図２（ｄ）には、水平方向（図の右方向）の荷重が中間梁１７に作用して、柱１１，１２が変形した場合のブレース構造２０を示している。下部梁１５及び上部梁１６に対して水平方向（図の右方向）に移動する変形を生じさせる中間荷重が加わった場合、中間梁１７は、図２（ｄ）に示す形状に変形しようとする。この場合、本実施形態のブレース構造２０のガセット２５の上下にほぼ均等に力が加わることになるため、ガセット２５を回転させる力がほとんど加わらず、ガセット２５は回転しない。従って、ブレース部材（２１，２２）が、下部梁１５及び上部梁１６に対して中間梁１７を移動させたような柱１１，１２の変形を拘束する。
【００３０】
本実施形態によれば、以下のような効果を得ることができる。
（１）本実施形態のブレース構造２０は、第１のブレース部材２１と第２のブレース部材２２とガセット２５とを備える。第１のブレース部材２１は、下部梁１５と柱１１，１２との交点から上方向に斜めに配置され、第２のブレース部材２２は、上部梁１６と柱１１，１２との交点から下方向に斜めに配置される。ガセット２５は、下部梁１５と上部梁１６との間に配置された回転中心点Ｃｇ周りに回動可能に支持され、回転中心点Ｃｇに対して下方で第１のブレース部材２１と固定され、回転中心点Ｃｇに対して上方で第２のブレース部材２２と固定される。これにより、建物において層間変形が発生した場合には、ガセット２５が回転中心点Ｃｇ周りに回転して、各ブレース部材（２１，２２）に加わる力を逃がすので、各ブレース部材（２１，２２）に作用する応力を低減して、ブレース部材（２１，２２）の降伏を抑制することができる。一方で、柱１１，１２の中間に荷重が作用した場合には、ガセット２５が回転しないため、柱１１，１２の断面積を大きくせずに、従来のＸ型ブレース部材と同様な変形拘束効果が期待できる。
【００３１】
（２）本実施形態のブレース構造２０のガセット２５は、下部梁１５と上部梁１６との間に設けた中間梁１７に、回動可能に支持されている。これにより、回動可能に支持されたガセット２５の下部に第１のブレース部材２１を固定し、ガセット２５の上部に第２のブレース部材２２を固定する構成を実現することができる。
【００３２】
（３）本実施形態では、ブレース構造２０のガセット２５を、中間梁１７のウェブ１７ｗに長方形状に形成された貫通孔１７ｈに挿通する。ガセット２５の対称軸上で頂角の近傍に回転軸２６を貫通させて固定し、この回転軸２６を回転可能に中間梁１７に支持する。これにより、中間梁１７が配置される面内領域において、ブレース構造２０を配置することができる。
【００３３】
（第２の実施形態）
次に、図３を用いて、ブレース構造を具体化した第２の実施形態を説明する。本実施形態では、上記実施形態におけるブレース構造２０のガセットと、このガセットを取り付ける中間梁との具体的構成が異なる。なお、本実施形態のブレース構造２０は、第１の実施形態の図１（ａ）で示したブレース構造２０と同じ模式図で示される。以下の実施形態においては、上記実施形態と同様の部分については、同一の符号を付して、その詳細な説明は省略する。
【００３４】
図３（ａ）及び図３（ｂ）は、本実施形態の右側のブレース構造２０に取り付けられるガセット４５を示している。
図３（ａ）に示すように、本実施形態におけるブレース構造のガセット４５は、下ガセット部４５ａ及び上ガセット部４５ｂから構成されている。ガセット４５は、中間梁３７に回動可能に取り付けられる。中間梁３７は、上記中間梁１７と同様に、下部梁１５と上部梁１６との間の位置で、隣接する柱１１，１２に架設されている。
【００３５】
中間梁３７は、上記第１の実施形態の中間梁１７と同様に、Ｈ鋼で構成されている。本実施形態の中間梁３７のウェブ３７ｗの一部には、所定形状（本実施形態ではコ字形状）の切り込みによって、長方形状の突出部材３７ａが形成されている。この突出部材３７ａは、薄板形状をしており、ブレース構造２０の各ブレース部材（２１，２２）の一端部が固定された柱１１側（図３（ａ）において右側）において、中間梁３７のウェブ３７ｗと連接している。この突出部材３７ａと、ウェブ３７ｗとの連接部（接続線）が、本実施形態では、ガセット４５の回転中心点Ｃｇとして機能する。そして、突出部材３７ａの左側（柱１１と反対側）の先端部が、回転中心点Ｃｇの周りで上下方向に回動可能になっている。
【００３６】
突出部材３７ａの下面には、板形状の下ガセット部４５ａが溶接により固定されている。突出部材３７ａの上面には、板形状の上ガセット部４５ｂが溶接により固定されている。下ガセット部４５ａ及び上ガセット部４５ｂは、面一となって、同一の垂直面を構成するように配置されている。下ガセット部４５ａ及び上ガセット部４５ｂは、中間梁１７の延在方向と平行で、ウェブ１７ｗによって構成される水平面と直交する垂直面内に配置されている。
【００３７】
更に、下ガセット部４５ａには、第１のブレース部材２１が、ボルト及びナットの組み合わせ等により固定されている。上ガセット部４５ｂには、第２のブレース部材２２がボルト及びナットの組み合わせ等により固定されている。
【００３８】
本実施形態においても、上記実施形態と同様に、層間変形が発生した場合には、ブレース部材（２１，２２）に加わる力が、ブレース部材（２１，２２）の端部を移動させて、回転中心点Ｃｇを中心としてガセット４５を同じ方向に回転させる。また、中間梁３７に水平方向に荷重が作用した場合には、ガセット４５は回転しない。従って、ブレース部材（２１，２２）が、下部梁１５及び上部梁１６に対して中間梁１７を移動させたような柱１１，１２の変形を拘束する。
【００３９】
本実施形態によれば、上述した（１），（２）に記載の効果と同様な効果に加えて、以下のような効果を得ることができる。
（４）本実施形態では、中間梁３７には、切り込みによって、柱１２側に突出した突出部材３７ａを形成する。この突出部材３７ａには、第１のブレース部材２１が固定された下ガセット部４５ａが下面に固定され、第２のブレース部材２２が固定された上ガセット部４５ｂが上面に固定される。これにより、中間梁３７の一部を用いて、回動可能なガセット４５を形成することができる。
【００４０】
（第３の実施形態）
次に、図４を用いて、ブレース構造を具体化した第３の実施形態を説明する。本実施形態では、第１の実施形態におけるブレース構造２０のガセットの構成が異なる。
【００４１】
図４（ａ）及び図４（ｃ）は、本実施形態のブレース構造２０の模式図である。図４（ａ）は、横方向に力が加わっていない状態、図４（ｃ）は、層間変形が生じた状態を示している。また、図４（ｂ）及び図４（ｄ）は、それぞれ、図４（ａ）及び図４（ｃ）の場合の右側のブレース構造２０のガセット６５を示している。
【００４２】
図４（ａ）に示すように、本実施形態のブレース構造２０は、上記実施形態と同様に、第１のブレース部材２１、第２のブレース部材２２及びガセット６５を備えている。
本実施形態では、ブレース構造２０のガセット６５は、回動可能に支持された回転部材６６と、この回転部材６６の一部に巻かれた巻回部材６８とから構成されている。回転部材６６は、例えば、外周に溝が形成された略円板形状のプーリー等が用いられる。この溝に巻回部材６８の一部を配置し、巻回部材６８の長さ及び張力を調整することにより、回転部材６６の外周から巻回部材６８が離脱しないように保持されている。
【００４３】
また、図４（ｂ）に示すように、巻回部材６８は、例えばワイヤ等の可撓性部材で構成されている。この巻回部材６８の両端部は、それぞれ第１のブレース部材２１の端部及び第２のブレース部材２２の端部にそれぞれ固定されている。これにより、巻回部材６８は、第１のブレース部材２１の上端部と第２のブレース部材２２の下端部とを連結している。なお、図４（ａ）及び図４（ｃ）では、巻回部材６８を明示するために、回転部材６６から離して表示している。
【００４４】
図４（ｂ）に示すように、回転部材６６は、ウェブ１７ｗの水平面内で、その回転軸が中間梁１７の延在方向と直交するように、中間梁１７に形成された貫通孔１７ｈに挿通されている。回転部材６６の回転軸の両端部は、上記第１の実施形態と同様に、固定部材（図示せず）によって、中間梁１７に回動可能に支持されている。なお、本実施形態では、ガセット６５の回転中心点Ｃｇは、回転部材６６の回転軸の中心が対応する。
【００４５】
次に、本実施形態のブレース構造２０の作用について説明する。
図４（ｃ）は、下部梁１５に対して上部梁１６を水平方向（図の右方向）に移動した層間変形が生じた状態を示している。この場合、図２（ｂ）に示したブレース構造２０と同様に、右側のブレース構造２０の第１のブレース部材２１と、左側のブレース構造２０の第２のブレース部材２２とには、圧縮する方向に力が加わる。また、右側のブレース構造２０の第２のブレース部材２２と、左側の第１のブレース部材２１とには、引っ張る方向に力が加わる。
【００４６】
ここで、巻回部材６８を介して連結されている第１のブレース部材２１と第２のブレース部材２２とは、反対方向（圧縮する方向と引っ張る方向）の力を受けることになり、各ブレース部材（２１，２２）の端部が移動して、巻回部材６８が回転部材６６とともに回転する。そして、図４（ｄ）に示すように、巻回部材６８は回転部材６６に沿って回転し、各ブレース部材（２１，２２）の回転部材６６側の端部の位置が移動させる。
【００４７】
また、本実施形態においても、上記実施形態と同様に、層間変形が発生した場合には、ブレース部材（２１，２２）に加わる力が、ブレース部材（２１，２２）の端部を移動させて、回転中心点Ｃｇしてガセット６５の巻回部材６８を同じ方向に回転させる。また、中間梁１７に水平方向に荷重が作用した場合には、巻回部材６８は回転しない。従って、ブレース部材（２１，２２）が、下部梁１５及び上部梁１６に対して中間梁１７を移動させたような柱１１，１２の変形を拘束する。
【００４８】
本実施形態によれば、上述した（１），（２）に記載の効果と同様な効果に加えて、以下のような効果を得ることができる。
（５）本実施形態では、ブレース構造２０のガセット６５は、回動可能に支持された回転部材６６と、この回転部材６６に巻回された巻回部材６８とから構成されている。巻回部材６８は、第１のブレース部材２１の端部と第２のブレース部材２２の端部とを連結している。回転部材６６は、回転中心点Ｃｇ周りに回動可能に、中間梁１７に支持されている。これにより、回転部材６６及び巻回部材６８を用いて、回動可能なガセット６５を形成することができる。
【００４９】
また、上記各実施形態は、以下のように変更してもよい。
・上記各実施形態においては、柱１１，１２の間に、スパン中央１３において線対称をなす２つのブレース構造２０を配置した。隣接する柱１１，１２の間に配置するブレース構造２０の数は、これに限定されない。
【００５０】
例えば、図５（ａ）に示すように、複数の柱１１，１２，１４が立設している場合には、柱１１，１２の間、柱１２とこれに隣接する柱１４との間に、それぞれ１つのブレース構造２０を設けてもよい。この場合、隣接するブレース構造２０を柱１２に対して線対称に配置してもよい。階高が高い（下部梁１５と上部柱１６との間隔が大きい）場合には、図１のように配置するよりも、ブレース部材（２１，２２）を４５度により近い傾斜で配置することができるので、柱１１，１２の変形を効率よく拘束することができる。
【００５１】
・上記各実施形態においては、柱１１，１２間における二つのブレース構造２０を離間して配置した。柱１１，１２間に配置する二つのブレース構造２０の配置はこれに限定されるものではない。例えば、二つのブレース構造２０を接触させたり、部分的に重複させたりするように配置してもよい。
【００５２】
図５（ｂ）に示すように、ブレース構造２０の第１のブレース部材２１同士、第２のブレース部材２２同士を交差させて配置してもよい。この場合にも、ブレース部材（２１，２２）を４５度により近い傾斜で配置することができるので、柱１１，１２の変形を効率よく拘束することができる。
【００５３】
・上記各実施形態のブレース構造２０においては、第１のブレース部材２１の端部を、下部梁１５と柱１１，１２の交点に固定し、第２のブレース部材２２の端部は、上部梁１６と柱１１，１２の交点に固定した。ブレース部材（２１，２２）が固定される位置は、下部梁１５及び上部梁１６に限定されない。
【００５４】
図５（ｃ）に示すように、階高が高い（下部梁１５と上部柱１６の間隔が大きい）場合には、下部梁１５と上部梁１６との間に、複数の中間梁１７を配置することがある。この場合、上下方向に並べてブレース構造２０を配置してもよい。ここでは、下部梁１５と上部梁１６との間に２つの中間梁１７が配置されている。下側に配置されたブレース構造２０は、下部梁１５と柱１１との交点に端部が固定された第１のブレース部材２１と、中間梁１７と柱１１との交点に端部が固定された第２のブレース部材２２と、中間梁１７に回動可能に支持されたガセット２５とを備える。上側に配置されたブレース構造２０は、中間梁１７と柱１１との交点に端部が固定された第１のブレース部材２１と、上部梁１６と柱１１との交点に端部が固定された第２のブレース部材２２と、中間梁１７に回動可能に支持されたガセット２５とを備える。これにより、階高が高い場合には、下部梁１５と上部梁１６との間に配置する中間梁１７を設け、この中間梁１７と柱１１との交点にブレース部材（２１，２２）を固定することにより、ブレース部材（２１，２２）を４５度により近い傾斜で配置することができる。
また、下部梁１５と上部梁１６との間に配置する中間梁１７は均等に配置しなくてもよい。この場合、非線対称形状のガセット２５を有したブレース構造２０としてもよい。
【００５５】
・上記各実施形態においては、ブレース構造２０のガセット２５，４５，６５は、中間梁１７，３７に取り付けた。これに代えて、ブレース構造２０のガセットを、中間梁以外に設けてもよい。
【００５６】
例えば、図５（ｄ）に示すように、ブレース構造２０のガセット２５を、第１及び第２のブレース部材（２１，２２）が固定された柱１１と異なる（隣接する）柱１２に回動可能に取り付ける。この場合には、下部梁１５と上部梁１６との間に中間梁はなくてもよい。この場合においても、上記各実施形態と同様な効果を得ることができる。
【００５７】
更に、図５（ｅ）に示すように、柱１２の中央に、柱１１側に突出する取付部１２ａを形成してもよい。この取付部１２ａの柱１１側に、ガセット２５の回転中心点Ｃｇを配置することにより、ガセット２５が柱１２よりも外側に大きく突出することを回避することができる。
【００５８】
・上記第１及び第２の実施形態においては、ガセット２５，４５は五角形状とした。ガセット２５，４５の形状はこれに限定されず、例えば、円弧形状や、「く」の字形状等であってもよい。
・上記第各実施形態のブレース構造２０においては、ガセット２５，４５，６５は、回転中心点Ｃｇの斜め下方において第１のブレース部材２１と接合し、回転中心点Ｃｇの斜め上方において第２のブレース部材２２と接合した。ブレース構造２０は、回転中心点Ｃｇの位置と各ブレース部材（２１，２２）との接合位置の関係を満足し、作用荷重に抵抗できれば、ガセットの形状やブレース構造の配置等はどんなものでもよい。
【００５９】
・上記第２実施形態においては、中間梁１７にコ字形状の切り込みを入れて、長方形状の突出部材３７ａを形成した。中間梁１７に形成する突出部材３７ａは、配置されるブレース構造２０のブレース部材（２１，２２）が固定される柱１１と反対側に突出していれば、形状は限定されない。例えば、中間梁１７に底辺が連接された三角形状や弦が連接された扇形状等であってもよい。
【００６０】
次に、上記実施形態及び別例から把握できる技術的思想について、それらの効果とともに以下に追記する。
（ａ）前記ガセットは、前記中間梁に形成された上下に貫通する孔に挿通され、
前記ガセットに固定された回転中心軸を前記中間梁に回動可能に支持したことを特徴とする請求項２に記載のブレース構造。
従って、この（ａ）に記載の発明によれば、中間梁が配置される面内領域に、回動可能に支持されたガセットに第１及び第２のブレース部材を固定したブレース構造を配置することができる。
【００６１】
（ｂ）前記中間梁の一部に、前記柱側と反対側に突出した突出部材が形成され、
前記ガセットは、
前記突出部材の下面に固定され、前記第１のブレース部材を固定する下ガセット部と、
前記突出部材の上面に固定され、前記第２のブレース部材を固定する上ガセット部とを有し、
前記突出部材の連接部を前記ガセットの回転中心とし、前記突出部材の前記柱側と反対側の先端を前記回転中心の周りに回動可能としたことを特徴とする請求項２に記載のブレース構造。
従って、この（ｂ）に記載の発明によれば、中間梁の一部で形成した回動可能な突出部材を用いて、中間梁が配置される面内領域に、回動可能に支持されたガセットに第１及び第２のブレース部材を固定したブレース構造を配置することができる。
【符号の説明】
【００６２】
Ｃｇ…回転中心点、Ｏｆ…オフセット、１１，１２，１４…柱、１２ａ…取付部、１３…スパン中央、１５…下部梁、１６…上部梁、１７，３７…中間梁、１７ｈ…貫通孔、１７ｗ，３７ｗ…ウェブ、２０…ブレース構造、２１…第１のブレース部材、２２…第２のブレース部材、２５，４５，６５…ガセット、２６…回転軸、２７…固定部材、３７ａ…突出部材、４５ａ…下ガセット部、４５ｂ…上ガセット部、６６…回転部材、６８…巻回部材。
【図１】
0006604037.tif 000002
【図２】
0006604037.tif 000003
【図３】
0006604037.tif 000004
【図４】
0006604037.tif 000005
【図５】
0006604037.tif 000006